(57)【要約】【課題】ホログラムを使用して螺鈿模様等の高い装飾性を付与した磁気カードであって、磁気記録層とカード表面との間の距離を小さくすることができる磁気カードを提供すること。【解決手段】カード基体１１上に、螺鈿模様等を表示するホログラム層１２を配置し、このホログラム層の上に、このホログラム層の一部が透視できるように、磁気記録層１３ｂ、磁気記録層１３ｃ、絵柄印刷層を配置する。装飾効果を高めるホログラム層がカード基体と磁気記録層との間に配置されており、磁気記録層の上にホログラム層を配置する必要がないから、磁気記録層とカード表面との間の距離を短くして、情報の書き込みや読み出しを確実に行うことができる。【選択図】図１
2018079601.tif 000002
【特許請求の範囲】
【請求項１】
カード基体上にホログラム層を有し、このホログラム層の上に配置された磁気記録層であって、前記ホログラム層の一部が透視できるように部分的に配置された磁気記録層を有することを特徴とする磁気カード。
【請求項２】
前記磁気記録層を被覆して、かつ、前記ホログラム層の一部が透視できるように配置された隠蔽層と、この隠蔽層に重ねて配置された絵柄印刷層とを有することを特徴とする請請求項１に記載の磁気カード。
【請求項３】
前記ホログラム層が螺鈿模様を表示する層であることを特徴とする請求項１又は２に記載の磁気カード。
【請求項４】
前記磁気記録層とカード表面との間の距離が１０μｍ以下であることを特徴とする請求項１〜３のいずれかに記載の磁気カード。
【発明の詳細な説明】
【技術分野】
【０００１】
本発明は、例えば螺鈿細工状の装飾柄等の優れた装飾模様を有する磁気カードに関する。
【背景技術】
【０００２】
装飾性に優れたカードは、例えば、特許文献１に記載されている。特許文献１は、蒔絵装飾を施したＩＣカードに関するもので、カード本体に漆等で模様を描き、この漆模様に等を固定して装飾したものである。
【０００３】
周知のように、螺鈿は、天然の貝殻からその内側の真珠層の部分を板状に切り出したもので、この螺鈿は特有の真珠光沢を有し、また、見る角度によってその色彩が変化する等、極めて深みと装飾性に優れた材料である。一方、この螺鈿は天然の貝殻を使用することから、極めて高価であった。また、天然の螺鈿は炭酸カルシウムの結晶で構成されているため、その加工時に螺鈿にひび割れが発生したり、あるいは螺鈿の段差に基づく気泡が残存するなど、加工適性や機械適性に劣り、このようなカードを製造すること自体が困難であった。
【０００４】
一方、このような螺鈿細工状の装飾柄を印刷や塗料の塗布によって表現した装飾品が知られている（特許文献２〜３）。このように印刷等によって螺鈿柄を表現した装飾品は、天然の貝殻を使用しないから安価に製造することができるが、その一方、螺鈿細工の持つ装飾性、すなわち、特有の光沢、色彩変化、あるいは深みを表現することは困難であった。
【０００５】
このように天然の貝殻を使用することなく、螺鈿細工状の装飾柄に近似した装飾柄を形成する方法の中でも、ホログラムを使用する方法は、螺鈿細工に近い光沢、色彩変化、あるいは深みを再現することが可能である。ホログラムを使用して優れた装飾効果を発揮するカードは特許文献４に記載されている。
【０００６】
特許文献４に記載のカードをいわゆる磁気カードで、カード基体上に、順次、磁気記録層、ホログラム層、隠蔽層、絵柄印刷層、保護層を積層して構成されている。
【０００７】
磁気カードは、その表面に磁気ヘッドを押し当て、この磁気ヘッドと磁気記録層との間で磁気的に情報の授受を行うカードである。このため、磁気記録層と磁気ヘッドとの間の距離、すなわち、磁気記録層とカード表面との間の距離は十分に小さいものでなくてはならない。しかしながら、特許文献４に記載のカードにおいては、磁気記録層上にホログラム層、隠蔽層、絵柄印刷層及び保護層を有しており、しかも、ホログラム層は、このホログラムを構成する凹凸を表面に有する樹脂層（光回折構造層）と、光反射層と、この光反射層を接着する接着保護層（ヒートシール層）とで構成されているため、磁気記録層とカード表面との間の距離を小さくすることが困難であった。
【先行技術文献】
【特許文献】
【０００８】
【特許文献１】登録実用新案第３１８８６７２号公報
【特許文献２】特開２０１３−５９９３５号公報
【特許文献３】特開２０１４−４７００号公報
【特許文献４】特許第４１７３２８４号公報
【発明の概要】
【発明が解決しようとする課題】
【０００９】
そこで、本発明は、ホログラムを使用して螺鈿模様等の高い装飾性を付与した磁気カードであって、磁気記録層とカード表面との間の距離を小さくすることができる磁気カードを提供することを目的とする。
【課題を解決するための手段】
【００１０】
すなわち、請求項１に記載の発明は、カード基体上にホログラム層を有し、このホログラム層の上に配置された磁気記録層であって、前記ホログラム層の一部が透視できるように部分的に配置された磁気記録層を有することを特徴とする磁気カードである。
【００１１】
次に、請求項２に記載の発明は、前記磁気記録層を被覆して、かつ、前記ホログラム層の一部が透視できるように配置された隠蔽層と、この隠蔽層に重ねて配置された絵柄印刷層とを有することを特徴とする請請求項１に記載の磁気カードである。
【００１２】
次に、請求項３に記載の発明は、前記ホログラム層が螺鈿模様を表示する層であることを特徴とする請求項１又は２に記載の磁気カードである。
【００１３】
次に、請求項４に記載の発明は、前記磁気記録層とカード表面との間の距離が１０μｍ以下であることを特徴とする請求項１〜３のいずれかに記載の磁気カードである。
【発明の効果】
【００１４】
本発明の磁気カードにおいて、ホログラム層は螺鈿模様等を表示して、カードの装飾効果を高めるものである。そして、本発明の磁気カードにおいては、装飾効果を高めるホログラム層はカード基体と磁気記録層との間に配置されており、磁気記録層の上にホログラム層を配置する必要がないから、磁気記録層とカード表面との間の距離を短くすることが可能である。そして、このため、磁気ヘッドと磁気記録層との間の距離を短くして、情報の書き込みや読み出しを確実に行うことができる。
【図面の簡単な説明】
【００１５】
【図１】図１は本発明の具体例に係る磁気カード１０の断面説明図である。
【図２】図２は、本発明の磁気カードの製造工程で使用するホログラム転写箔２０の具体例を示す断面説明図である。
【図３】図３は、本発明の磁気カードの製造工程で使用する保護層転写箔３０の具体例を示す断面説明図である。
【発明を実施するための形態】
【００１６】
以下、図面を参照して本発明の具体例を説明する。図面の図１は本発明の具体例に係る磁気カード１０の断面説明図である。
【００１７】
この磁気カード１０は、大別して、カード基体１１、ホログラム層１２、表面側外装シート１３、保護層１４から成る４層で構成されている。
【００１８】
カード基体１１としては任意のシートが使用できるが、この例では、２枚のコアシート１１ａ，１１ｂを積層し、カード１０裏面側に裏面側外装シート１１ｃを積層して構成されている。
【００１９】
コアシート１１ａ，１１ｂは、少なくともその一方が不透明なプラスチックシートであることが望ましい。その材質としては、例えば、ポリエチレンテレフタレート（ＰＥＴ）、ポリ塩化ビニル（ＰＶＣ）、ポリカーボネート（ＰＣ）、塩化ビニル・酢酸ビニル共重合体、アクリルニトリル・ブタジエン・スチレン共重合体（ＡＢＳ）樹脂等を例示できる。そして、これら樹脂に顔料を練り込むことによって不透明なシートとすることができる。あるいは、これら樹脂から成るシートに不透明インキを塗布又は印刷することによって不透明とすることも可能である。
【００２０】
また、裏面側外装シート１１ｃとしては透明なプラスチックシートを使用できる。例えば、ポリエチレンテレフタレートシート、ポリ塩化ビニル等である。なお、コアシート１１ｂと裏面側外装シート１１ｃとの間には印刷画像を配置することができる。磁気カード１０の使用上の注意書き等の印刷画像である。
【００２１】
次に、ホログラム層１２は、磁気カード１０表面に入射した光を反射回折させて、その反射回折光で装飾模様を表示するものである。この装飾模様としては、例えば、螺鈿模様を例示することができる。前述のように、このホログラム層１２で反射された光は回折光を構成しており、これら回折光が互いに干渉して装飾模様を表示するため、螺鈿に近い光沢、色彩変化、あるいは深みを表示することが可能である。
【００２２】
このホログラム層１２は、任意のホログラムによって構成することができる。例えば、位相型ホログラム、振幅型ホログラムである。また、レリーフホログラムや体積ホログラムであってもよい。中でも、位相型レリーフホログラムを好適に使用することができる。
【００２３】
位相型レリーフホログラムは、俗にエンボスホログラムと呼ばれるもので、光回折構造層と光反射層とを必須の構成要素とする。光回折構造層は合成樹脂で構成され、ホログラムを構成する微細な凹凸をその表面に有するものである。そして、光反射層はこの表面凹凸に沿って積層されたもので、略均一な厚みを有しており、このため、光回折構造層の表面凹凸を反映して、その表裏両面に微細な凹凸が形成されている。そして、この光反射層の凹凸表面で反射された光が回折光を構成して、前記装飾模様を表示する。
【００２４】
光回折構造層としては、任意の合成樹脂を使用できる。例えば、熱可塑性樹脂、熱硬化性樹脂、あるいは放射線硬化性樹脂である。
【００２５】
熱可塑性樹脂としては、ポリエチレン、ポリプロピレン、ポリ塩化ビニル、ポリ酢酸ビニル、塩化ビニル−酢酸ビニル共重合体、ポリエチレンテレフタレート、ポリエチレンナフタレート、ポリアミド、ポリカーボネート、ポリアクリル酸、ポリメタクリル酸、アクリル−スチレン共重合体、酢酸セルロース、酢酸プロピオン酸セルロース、酢酸酪酸セルロース、ニトロセルロース等が例示できる。
【００２６】
熱硬化性樹脂としては、ポリイミド、ポリエステルウレタン、エポキシウレタン、シリコーン樹脂、エポキシ樹脂、メラミン樹脂等を例示できる。
【００２７】
放射線硬化性樹脂は、紫外線や電子線等の放射線を照射することによって硬化するモノマー、オリゴマー又はポリマーにラジカル発生剤を混合したものであり、一般に放射線照射によってラジカル発生剤がラジカルを発生し、このラジカルによって重合又は架橋して硬化する。ラジカルによって重合又は架橋するモノマーとしては、その代表例として、分子中にアクリロイル基を有するものを例示できる。例えば、テトラヒドロフルフリルアクリレート、２−ヒドロキシエチルアクリレート、２−ヒドロキシ−３−フェノキシプロピルアクリレート、ポリエチレングリコールジアクリレート、ポリプロピレングリコールジアクリレート、トリメチロールプロパントリアクリレート、ペンタエリスリトールトリアクリレート、ペンタエリスリトールテトラアクリレート等を例示することができる。また、エポキシアクリレート系、ウレタンアクリレート系、ポリエステルアクリレート系、あるいはポリエーテルアクリレート系のモノマーあるいはそのオリゴマーやポリマーであってもよい。
【００２８】
また、光反射層としては、金属又は高屈折率の透明材料から成る真空蒸着膜で構成することができる。例えば、アルミニウム、銀、すず、クロム、ニッケル、銅、金等の金属蒸着膜である。また、高屈折率の透明材料としては硫化亜鉛、酸化チタン等を例示できる。その厚みは１〜１００ｎｍでよい。
【００２９】
ホログラム層１２は、転写法を使用してカード基体１１に積層することができる。この方法については後述する。
【００３０】
次に、表面側外装シート１３は、少なくとも磁気記録層１３ｂを有することが必要である。この例では、表面側外装シート基材１３ａ上に、磁気記録層１３ｂ、隠蔽層１３ｃ及び絵柄印刷層１３ｄをこの順に形成したシートを表面側外装シート１３として使用している。
【００３１】
表面側外装シート基材１３ａは透明なシートで構成されている必要がある。この表面側外装シート基材１３ａを通してホログラム層１２の装飾模様を透視するためである。表面側外装シート基材１３ａは任意のプラスチックで構成することができる。例えば、ポリエチレンテレフタレートシート、ポリ塩化ビニル等である。
【００３２】
磁気記録層１３ｂは、必要な情報を磁気的に記録し、また、磁気ヘッドとの間で情報を授受する機能を果たすものである。この磁気記録層１３ｂは、一般に黒色又は濃茶色の不透明な材質で構成されることから、ホログラム層１２の一部が透視できるように部分的に配置する必要がある。例えば、図１に示すように磁気テープを表面側外装シート基材１３ａに貼り付けて構成することができる。
【００３３】
隠蔽層１ｃは磁気記録層１３ｂを隠蔽する層である。前述のように、磁気記録層１３ｂは黒色又は濃茶色の色彩を有していることが多いから、この色彩を隠蔽して、絵柄印刷層１３ｄの下地色を形成するのである。このため、隠蔽層１ｃは不透明で明色の印刷インキで構成することができる。例えば、白色の印刷インキである。また、非磁性の金属蒸着膜で構成することもできる。例えば、アルミニウム蒸着膜である。
【００３４】
なお、この隠蔽層１ｃは不透明な色彩を有することから、前記ホログラム層１２の一部が透視できるように部分的に配置する必要がある。
【００３５】
次に、絵柄印刷層１３ｄは磁気カード１０に必要な情報や装飾模様を表示するものである。磁気カード１０に必要な情報としては、磁気カード１０の種類を示す情報、磁気カード１０の発行者を示す情報、磁気カード１０の持ち主を示す情報等を例示できる。また、装飾模様としては、細紋等を例示できる。磁気カード１０に必要な情報や装飾模様は、いずれも印刷インキによって構成されるものであるから、螺鈿の持つ光沢、色彩変化、あるいは深みを表示する必要はない。
【００３６】
この絵柄印刷層１３ｄは隠蔽層１ｃに重ねて配置することが望ましい。前述のように、隠蔽層１ｃは明色の色彩を有するから、この隠蔽層１ｃに重ねて絵柄印刷層１３ｄを印刷することにより、これら絵柄印刷層１３ｄと隠蔽層１ｃとの間のコントラストが高まり、絵柄印刷層１３ｄの視認性を高めることができる。なお、図１に示す例では、隠蔽層１ｃの一部に絵柄印刷層１３ｄが配置されているが、隠蔽層１ｃと絵柄印刷層１３ｄとは同形同大であってもよい。いずれの場合でも、絵柄印刷層１３ｄは隠蔽層１ｃに重ねられており、このため、これら絵柄印刷層１３ｄと隠蔽層１ｃとが存在しない領域でホログラム層１２を透視することができる。
【００３７】
次に、保護層１４は絵柄印刷層１３ｄを摩耗や汚損から保護する層である。保護層１４は透明ニスの塗布膜で構成することができる。この保護層１４の材質は任意でよいが、例えば、塩化ビニル−酢酸ビニル共重合樹脂等を使用できる。
【００３８】
次に、本発明の磁気カード１０の製造方法を説明する。本発明の磁気カードを製造する際には、まず、カード基体上にホログラム層１２を形成する。図１に示す例では、カード基体１１は、２枚のコアシート１１ａ，１１ｂと裏面側外装シート１１ｃとで構成されているから、コアシート１１ａ上にホログラム層１２を形成すればよい。
【００３９】
以上、磁気カード１０を構成する各層について説明したが、磁気記録層１３ｂと磁気ヘッドとの間で磁気的に情報の授受を行うため、磁気記録層１３ｂと磁気カード１０表面との間の距離、すなわち、この例では磁気記録層１３ｂと保護層１４表面との間の距離は１０μｍ以下であることが望ましい。
【００４０】
コアシート１１ａ上にホログラム層１２を形成する際には、前述のように、転写法を使用することができる。図２は、この転写法で使用するホログラム転写箔２０を示す断面説明図である。
【００４１】
このホログラム転写箔２０は、ホログラム転写箔基材２１に、剥離容易に光回折構造層１２ａを積層し、この光回折構造層１２ａ上に光反射層１２ｂ及び接着保護層１２ｃを積層したものである。
【００４２】
ホログラム転写箔基材２１としては任意のプラスチックフィルムを使用することができる。例えば、ポリエチレンテレフタレートフィルムである。また、光回折構造層１２ａとの剥離性を向上させるため、剥離剤を塗布してホログラム転写箔基材２１としてもよい。
【００４３】
光回折構造層１２ａの材質は前述のとおりである。この光回折構造層１２ａは、グラビアコーティング法やマイクログラビアコーティング法で形成することができる。そして、その表面をエンボスして微細な凹凸を形成することができる。なお、光回折構造層１２ａが熱可塑性樹脂で構成されている場合には、加熱エンボスすることによりこの凹凸を形成することができる。また、光回折構造層１２ａが熱硬化性樹脂又は放射線硬化性樹脂で構成されている場合には、未硬化の光回折構造層１２ａにエンボスして凹凸を形成し、その後硬化させればよい。
【００４４】
そして、この光回折構造層１２ａの凹凸表面に真空蒸着することによって光反射層１２ｂを形成することができる。光反射層１２の材質も前述のとおりである。なお、真空蒸着に代えて、スパッタリング、イオンプレーティング等の方法で光反射層１２ｂを形成することも可能である。
【００４５】
次に、接着保護層１２ｃは、光反射層１２ｂの凹凸を維持したまま、コアシート１１ａ上に接着する機能を有するものである。接着保護層１２ｃとしては任意の感熱接着樹脂を使用できる。例えば、アクリル系樹脂である。
【００４６】
こうして製造されたホログラム転写箔２０をコアシート１１ａに重ね、加熱加圧して接着した後、転写箔基材２１を剥離除去することにより、コアシート１１ａ上にホログラム層１２を形成することができる。なお、こうして形成されたホログラム層１２は、コアシート１１ａ側から順に、接着保護層１２ｃ、光反射層１２ｂ、光回折構造層１２ａを積層した積層構造を有するもので、光反射層１２ｂ表裏の凹凸に基づく反射型レリーフホログラム（いわゆるエンボスホログラム）を構成する。
【００４７】
次に、基台上に、裏面側外装シート１１ｃ、コアシート１１ｂ、ホログラム層１２付きコアシート１１ａ、及び表面側外装シート１３をこの順に重ね、熱プレスして一体化する。
【００４８】
そして、次に、保護層１４を形成する。前述のように、この保護層１４は透明ニスの塗布膜で構成することができる。グラビアコーティング法等の塗布方法により表面側外装シート１３上に直接塗布して保護層１４を形成することもできるが、転写箔を使用して保護層１４を形成することも可能である。
【００４９】
図面の図３はこの保護層転写箔３０を示すもので、この保護層転写箔３０は、保護層転写箔基材３１上に剥離容易に保護層１４及び接着層３２を形成して構成したものである。なお、保護層１４と接着層３２との間に、両者の接着力を高める中間層を設けてもよい。保護層転写箔基材３１としては、例えば、ポリエステルフィルムを使用できる。接着層３２は任意の接着剤で構成することができる。例えば、塩化ビニル−酢酸ビニル共重合樹脂、ウレタン系樹脂等である。また、保護層１４と接着層３２との間の中間層としては、アクリルウレタン樹脂等のウレタン系樹脂を使用することができる。この保護層転写箔３０を表面側外装シート１３上に重ねて接着した後、保護層転写箔基材３１を剥離除去することにより、保護層１４を形成することができる。
【００５０】
なお、この保護層１４を表面側外装シート１３上に形成した後、この保護層１４付き表面側外装シート１３をカード基体１１に熱プレスして一体化してもよい。すなわち、基台上に、裏面側外装シート１１ｃ、コアシート１１ｂ、ホログラム層１２付きコアシート１１ａ、及び保護層１４付き表面側外装シート１３をこの順に重ね、熱プレスすることにより、これらを一体化することができる。
【００５１】
また、表面側外装シート１３とカード基体１１とを一体化すると同時に保護層１４を形成することもできる。すなわち、基台上に、裏面側外装シート１１ｃ、コアシート１１ｂ、ホログラム層１２付きコアシート１１ａ、表面側外装シート１３及び保護層転写箔３０をこの順に重ね、熱プレスすることにより、これらを一体化し、保護層転写箔基材３１を剥離除去することにより、これらの一体化と同時に保護層１４を形成することができる。
【００５２】
そして、最後に、切断又は打ち抜くことにより、磁気カード１０を製造することができる。
【実施例】
【００５３】
（実施例）
裏面側外装シート１１ｃとして、印刷画像を形成した延伸ポリエチレンテレフタレートシート（厚さ０．１００ｍｍ）を使用した。また、コアシート１１ａ，１１ｂとして、白色の非結晶性ポリエステルシート（厚さ０．３００ｍｍ）を使用し、そのうち、一方のコアシート１１ａにホログラム層１２を転写形成した。使用したホログラム転写箔２０は図２に示す構造を有するもので、このホログラム層１２は、その反射回折光が螺鈿の持つ光沢、色彩変化、あるいは深みを表示するようにデザインされたものである。
【００５４】
次に、表面側外装シート１３として、絵柄印刷層１３ｄ、隠蔽層１ｃ、磁気記録層１３ｂをこの順に形成した透明な非結晶性ポリエステルシート（厚さ０．１００ｍｍ）を使用した。なお、これら絵柄印刷層１３ｄ、隠蔽層１ｃ、磁気記録層１３ｂの配置については次に説明する。
【００５５】
また、保護層転写箔３０として、保護層転写箔基材３１上に剥離容易に保護層１４、中
間層及び接着層３２を形成して構成したものを使用した。保護層転写箔基材３１としては、厚さ２５μｍのポリエステルフィルムを使用した。また、保護層１４は塩化ビニル−酢酸ビニル共重合樹脂、中間層はアクリルウレタン樹脂、接着層３２はウレタン系樹脂で、これら保護層１４、中間層、接着層３２の合計厚みは約２μｍである。
【００５６】
そして、前記裏面側外装シート１１ｃ、コアシート１１ｂ、コアシート１１ａ、表面側外装シート１３及び保護層転写箔３０をこの順に重ね、熱プレスして一体化した後、保護層転写箔基材３１を剥離除去した。なお、コアシート１１ａ上のホログラム層１２は、表面側外装シート１３に向き合う位置に配置した。また、表面側外装シート１３の磁気記録層１３ｂはホログラム層１２に向き合うように配置した。この磁気記録層１３ｂは部分的に設けられており、隠蔽層１ｃはこの磁気記録層１３ｂを被覆して、しかも、部分的に設けられたものである。そして、絵柄印刷層１３ｄはこの隠蔽層１ｃに重ねて配置されている。このため、これら隠蔽層１ｃ、磁気記録層１３ｂ及び絵柄印刷層１３ｄのいずれもが存在しない部位を透して、前記ホログラム層１２の螺鈿模様を透視することができる。
【００５７】
そして、最後に打ち抜き加工によって磁気カード１０を製造した。この磁気カード１０は、磁気ヘッドによって磁気記録層１３ｂに磁気的に情報を書き込むことができ、また読み取ることができた。
【００５８】
（比較例）
ホログラム層１２に代えて、螺鈿シート基材に天然の螺鈿を接着剤で固定した螺鈿シートを使用した外は、実施例と同様に磁気カードを製造した。各シートを一体化する熱プレス時に螺鈿にひび割れが生じた。また、螺鈿の段差に起因して、熱プレス時の圧力が不均一となり、磁気カード内部に気泡が残存していた。このため、得られた磁気カードはその外観が好ましくないものとなっていた。
【符号の説明】
【００５９】
１０：磁気カード
１１：カード基体    １１ａ：コアシート    １１ｂ：コアシート    １１ｃ：裏面側外装シート
１２：ホログラム層    １２ａ：光回折構造層    １２ｂ：光反射層    １２ｃ：接着保護層
１３：表面側外装シート    １３ａ：表面側外装シート基材    １３ｂ：磁気記録層  
１３ｃ：隠蔽層    １３ｄ：絵柄印刷層
１４：保護層
２０：ホログラム転写箔
２１：ホログラム転写箔基材
３０：保護層転写箔
３１：保護層転写箔基材    ３２：接着層
【図１】
2018079601.tif 000003
【図２】
2018079601.tif 000004
【図３】
2018079601.tif 000005